(57)【要約】【課題】イヤホンを利用していた状態で利用者が機器を放置した場合においても、音楽等を確実に聴くことができる音声出力装置、および、音声出力制御方法を提供する。【解決手段】携帯電話１００は、音楽再生終了判断部５０により音楽再生の終了が判定された時にイヤホン７が接続されている場合はその終了時刻を音楽再生終了時間記憶部６０に記憶し、その終了時刻から再生するタイミングの時刻が予め定められた時間経過した場合にはスピーカ７０３から再生音楽を出力する。【選択図】図２
2006339953.tif 000002
【特許請求の範囲】
【請求項１】
音声再生手段と、
前記音声再生手段によって再生される音声を出力する第１の拡声手段と、
外部接続手段と、
この外部接続手段に接続され、前記音声再生手段によって再生される音声を出力する第２の拡声手段と、
前記第２の拡声手段による音声出力の終了を検知する終了検知手段と、
この終了検知手段により音声出力の終了を検知してから予め定められた時間が経過した場合に、前記音声再生手段によって再生される音声を前記第２の拡声手段から前記第１の拡声手段に切り換える切換手段と
を備えたことを特徴とする音声出力装置。
【請求項２】
当該装置の周囲における環境光の強度を測定する光強度測定手段を更に備え、
前記切換手段は、前記光強度測定手段により測定された環境光が予め設定された光の強度よりも弱いと判定された場合に、前記第２の拡声手段から前記第１の拡声手段に切り換えることを特徴とする請求項１に記載の音声出力装置。
【請求項３】
当該装置に対する外部からの電源供給を検出する電源検出手段を更に備え、
前記切換手段は、前記電源検出手段により前記外部からの電源供給が検出されると、前記第２の拡声手段から前記第１の拡声手段に切り換えることを特徴とする請求項１に記載の音声出力装置。
【請求項４】
無線通信手段と、
この無線通信手段を介して当該装置外部からの通信要求を検出する通信要求検出手段と
を更に備え、
前記音声再生手段は、前記通信要求検出手段により当該装置外部からの通信要求を検出したときに音声を再生することを特徴とする請求項１乃至３の何れかに記載の音声出力装置。
【請求項５】
第１の拡声部、外部接続部を備えた音声出力装置における音声出力制御方法であって、
音声再生ステップと、
前記音声再生ステップにて再生される音声を前記第１の拡声部から拡声させる第１の拡声ステップと、
前記外部接続部に第２の拡声部が接続されているときには、前記音声再生ステップにて再生される音声を前記第２の拡声部から拡声させる第２の拡声ステップと、
前記第２の拡声ステップによる音声出力の終了を検知する終了検知ステップと、
この終了検知ステップにより音声出力の終了を検知してから予め定められた時間が経過した場合に、前記音声再生ステップにて再生される音声を前記第２の拡声部から前記第１の拡声部に切り換える切換ステップと、
からなることを特徴とする音声出力制御方法。
【請求項６】
第１の拡声部、外部接続部を備えたコンピュータを、
音声再生手段、
前記音声再生手段によって再生される音声を前記第１の拡声部から拡声させる第１の拡声手段、
前記外部接続部に第２の拡声部が接続されているときには、前記音声再生手段によって再生される音声を前記第２の拡声部から拡声させる第２の拡声手段、
前記第２の拡声手段による音声出力の終了を検知する終了検知手段、
この終了検知手段によって音声出力の終了を検知してから予め定められた時間が経過した場合に、前記音声再生手段によって再生される音声を前記第２の拡声部から前記第１の拡声部に切り換える切換手段、
として実行させることを特徴とする音声出力制御プログラム。
【発明の詳細な説明】
【技術分野】
【０００１】
本発明は、当該装置に設けられたスピーカ、又は当該装置に設けられたイヤホン端子に接続するヘッドホンから音声を出力する音声出力装置、および、音声出力制御方法に関する。
【背景技術】
【０００２】
従来、音楽再生、テレビ／ラジオの視聴又はビデオ録画やダウンロードした音声付き動画データの視聴などにおける音声再生は、装置に備えられたスピーカの他にイヤホン端子に接続されたイヤホン又はヘッドホンなどに行なう場合があり、イヤホン端子へのイヤホン又はヘッドホンなどの接続の有無に応じて切換えて行なうことが一般的である。
【０００３】
また、上述の音声再生に関する機能を有する装置においては、目覚まし時計としての機能や電話機能をさらに有するものがあり、予め設定された時刻や電話の着信時に報知音を鳴らすことで利用者に報知する構成を備える。そして、この場合の報知も、イヤホン端子への接続の有無を検知することにより、それに応じてスピーカ若しくはイヤホン又はヘッドホンから報知音を出力して行なわれる。
【０００４】
このように、報知音を鳴らすことで利用者に報知する場合においてもスピーカ若しくはイヤホン又はヘッドホンのいずれかの利用形態に合わせた報知が行なわれており、利用者はその利用形態を変更することなく報知を認識することができる。また、特に近年では、周りに迷惑を掛けることなく個人で音楽を楽しむためにイヤホン又はヘッドホンによる利用が増加しているため、それに対する様々な技術が開発されている。
【０００５】
例えば、特許文献１には、マイクとヘッドホンとによるヘッドセットで音楽再生中に着信があった場合においてもそのまま通話ができるとともに、ヘッドセットからの発呼もできる技術が開示されている。また、特許文献２には、イヤホン又はヘッドホンで音楽再生中に報知する場合はバイブレータによる振動で行なう技術が開示されている。
【特許文献１】特開２００１−２０３７８７号公報
【特許文献１】特開２００４−８０３９５号公報
【発明の開示】
【発明が解決しようとする課題】
【０００６】
しかしながら、イヤホン又はヘッドホンを利用した後にそのままの状態で放置した場合、つまり、イヤホン端子に接続した状態で利用者が機器から離れてしまい、イヤホン又はヘッドホンからの音声が利用者の耳に届かない場合は、利用者への報知がイヤホンからの報知音の出力やバイブレータによる振動などに限られてしまうため、的確に報知することができないという問題があり、前述した従来からの技術では不十分であった。
【０００７】
本発明は、このような課題に鑑みて為されたものであり、その目的とするところは、イヤホンを利用していた状態で利用者が機器を放置した場合においても、音楽等を確実に聴くことができる音声出力装置、および、音声出力制御方法を提供することである。
【課題を解決するための手段】
【０００８】
上記課題を解決するために、請求項１に記載の発明は、音声再生手段と、前記音声再生手段によって再生される音声を出力する第１の拡声手段と、外部接続手段と、この外部接続手段に接続され、前記音声再生手段によって再生される音声を出力する第２の拡声手段と、前記第２の拡声手段による音声出力の終了を検知する終了検知手段と、この終了検知手段により音声出力の終了を検知してから予め定められた時間が経過した場合に、前記音声再生手段によって再生される音声を前記第２の拡声手段から前記第１の拡声手段に切り換える切換手段とを備えたことを特徴とする。
更に、請求項１に記載の発明に示した主要な機能を実現させるための音声出力制御方法及び音声出力制御プログラムを提供する（請求項５，６に記載の発明）。
【０００９】
請求項２に記載の発明は、請求項１に記載の発明において、当該装置の周囲における環境光の強度を測定する光強度測定手段を更に備え、前記切換手段は、前記光強度測定手段により測定された環境光が予め設定された光の強度よりも弱いと判定された場合に、前記第２の拡声手段から前記第１の拡声手段に切り換えることを特徴とする。
【００１０】
請求項３に記載の発明は、請求項１に記載の発明において、当該装置に対する外部からの電源供給を検出する電源検出手段を更に備え、前記切換手段は、前記電源検出手段により前記外部からの電源供給が検出されると、前記第２の拡声手段から前記第１の拡声手段に切り換えることを特徴とする。
【発明の効果】
【００１１】
請求項１、５、６に記載の発明によれば、外部接続手段に接続された第２の拡声手段によって再生される音声の出力の終了を検知して、その検知後に予め定められた時間が経過した場合の再生される音声の出力を前記第２の拡声手段から第１の拡声手段に切り換える構成であり、外部接続による音声の出力の終了から予め定められた時間以上放置した場合は外部接続を介することなく直接的に音声の出力を行なうため、当該装置を放置した場合においても利用者は確実に音声を聞くことができる。
【００１２】
請求項２に記載の発明によれば、装置の周囲における環境光の強度が予め設定された光の強度よりも弱いと判定された場合における音声の出力を第２の拡声手段から外部接続を介することなく直接的に音声の出力を行なう第１の拡声手段に切り換える構成であるため、当該装置を暗いところに放置した場合においても利用者は確実に音声を聞くことができる。
【００１３】
請求項３に記載の発明によれば、外部からの電源供給が検出された場合における音声の出力を第２の拡声手段から外部接続を介することなく直接的に音声の出力を行なう第１の拡声手段に切り換える構成であるため、外部から電源を供給する状態で放置した場合においても利用者は確実に音声を聞くことができる。
【００１４】
請求項４に記載の発明によれば、無線通信手段を介した当該装置外部からの通信要求に応じた音声の出力に対しても、当該装置を放置した場合は第１の拡声手段に切り換える構成であるため、利用者に対して確実に通信要求を伝えることができる。
【発明を実施するための最良の形態】
【００１５】
［第１の実施の形態］
以下、図を参照して、本発明を携帯電話に適用させた実施形態について詳細に説明する。
【００１６】
図１に、本発明を適用した折り畳み式の携帯電話の外観構成を示す。図１（ａ）は、携帯電話１００の開いた状態における正面外観を示す図であり、図１（ｂ）は、携帯電話１００の開いた状態における右側面の外観を示す図である。
【００１７】
図１（ａ）に示すように、携帯電話１００は、上蓋２と下蓋３とがヒンジ部４により接合されており、そのヒンジ部４を軸にして正面側で互いに向かい合うように折り畳む構成となっている。上蓋２の正面側には利用者に画像で情報を表示する液晶ディスプレイなどである表示部３０、音声を出力するスピーカ７０３を備え、下蓋３の正面側には利用者からの指示を受け付けるキー操作部２０１及び音声を入力するマイク２０２を備える。また、図１（ｂ）に示すように、開いた状態における下蓋３の正面右側面には、特に図示しないイヤホン又はヘッドホンへの音声出力を行なうイヤホンジャック７０４を備える。
【００１８】
次に、図２を参照して、携帯電話１００の主要構成を示す。図２は、携帯電話１００の機能的構成を模式的に示した図である。
【００１９】
図２に示すように、携帯電話１００は、当該装置の動作を統括制御する制御部１０と、バスなどでその制御部１０により制御可能に接続された、入力部２０、表示部３０、通信部４０、音楽再生終了判断部５０、音楽再生終了時間記憶部６０、出力先制御部７０、ワークメモリ部８０及びメモリ部９０の主要構成部からなる。
【００２０】
制御部１０は、ＣＰＵ（Central  Processing  Unit）によりワークメモリ部８０を作業領域としてメモリ部９０に格納された制御プログラムを順次実行することで各部の動作を制御する回路である。例えば、制御部１０は、メモリ部９０に格納された音声再生プログログラムを実行することで、通信部４０を通じて他の情報機器から送られる音声データやメモリ部９０に格納された音声データに基づいて復元する音声信号を出力先制御部７０に送ることで、音楽再生による報知を行なう。なお、再生される音楽データは、例えばＡＶＩ（Audio Video Interleave）形式、ＭＰＥＧ（Moving Picture Experts Group）形式、ＷＡＶ形式など画像データを含むものや、ＭＰ３（MPEG-1 Audio Layer-III）、及びＭＩＤＩ（Musical Instrument Digital Interface）などであって良く、公知の変換方法に基づいて変換する。
【００２１】
また、制御部１０は、通信部４０において他の情報機器からの着信があった場合に前述の音声再生プログラムを実行して音楽データを出力する。さらに、制御部１０は、通信制御プログラムを実行して通信部４０で送受信されるデータに基づいた画面表示や音声再生を行なうことで、通話、メールなどのデータ通信又はテレビ／ラジオ放送の再生を行なう。
【００２２】
入力部２０は、前述したキー操作部２０１におけるキー操作に応じた押下信号やマイク２０２から入力される音声アナログ信号をデジタル変換した音声デジタル信号を制御部１０に出力して、携帯電話１００に対する利用者からの操作や音声の入力を受け付ける。
【００２３】
表示部３０は、ＬＣＤ（Liquid Crystal Display）及びその駆動回路であり、制御部１０から出力される画像信号に基づいた画像を当該ＬＣＤ上に表示する。
【００２４】
通信部４０は、特に図示しない外部の基地局や端末と所定の周波数での無線通信を行なうためのアンテナ４０１を備え、利用者による通話や電子メールなどのデータを送信する際に制御部１０から送られる所定の圧縮符号化形式に変換された音声情報やデータを無線通信方式にて定められた音声信号／データ信号に変調してアンテナ４０１を介して外部の基地局に送信する。また、通信部４０は、アンテナ４０１を介して基地局より受信された無線信号からデジタルデータへ復調して得られる音声信号／データ信号を制御部１０へ渡す処理を行なう。
【００２５】
また、通信部４０は、アンテナ４０１を同調させることによって利用者により選局されたテレビ／ラジオ放送局のチャンネルに対応する周波数の信号を受信し、その受信された信号から映像信号・音声信号に復号して制御部１０へ出力し、地上波アナログテレビ放送／ＡＭ・ＦＭラジオ放送の受信を行なう構成であってもよい。さらに、通信部４０は、特に図示しないＯＦＤＭ（Orthogonal  Frequency  Division  Multiplexing：直交周波数分割多重方式）復調部などを有し、受信したＯＦＤＭ変調信号を復調して映像／音声信号を復号することで地上波デジタルテレビ放送の受信を行なう構成であっても良い。
【００２６】
音楽再生終了判断部５０は、入力部２０からの終了指示や予め設定された再生曲順の終了を検出することで制御部１０の制御による音楽再生の終了を検出する。音楽再生終了時間記憶部６０は、常時一定周波数の水晶発信によるクロック信号を計数して現在時刻を計時する計時回路、及び入力される指示によりその計時回路で検出された現在時刻を格納するメモリにより構成され、音楽再生終了判断部５０で音楽再生の終了が検出されたタイミングの現在時刻を記憶する。また、音楽再生終了時間記憶部６０の計時回路は、制御部１０の制御とメモリ部９０に予め設定された報知時刻とにより所定の時刻に音楽を再生出力する、いわゆる目覚まし時計として機能する。
【００２７】
出力先制御部７０は、制御部１０から入力される音声信号をＤ／Ａ変換して、イヤホンジャック７０４からの検知信号又は制御部１０からの指示に応じてアンプ７０１又はアンプ７０２の何れかに出力し、そのアンプ７０１の先に接続されたスピーカ７０３又はアンプ７０２の先に接続されたイヤホン７から音声出力させる機能部である。
【００２８】
アンプ７０１，７０２は、出力先制御部７０から送られる音声信号を所定の増幅率で増幅する回路である。具体的には、アンプ７０１は後段に接続されたスピーカから離れた（数メートル程度）人に音声が聴覚可能に届く程度の増幅率であり、アンプ７０２は後段に接続されたイヤホンからそれを装着した利用者の耳に音声が聴覚可能に届く程度の増幅率である。
【００２９】
イヤホンジャック７０４は、イヤホン７（プラグ）と嵌合して電気的に接続する端子部であり、アンプ７０２からの増幅後の音声出力をイヤホン７へ伝送する。また、イヤホンジャック７０４は、イヤホン７との接続を電気的に検知して出力先制御部７０へ通知する。
【００３０】
携帯電話１００は、この出力先制御部７０を含む音声出力を行なう機能部により、音楽再生時、通話時又は報知音出力時などおいて、スピーカ７０３又はイヤホン７のいずれかから音声を出力する。
【００３１】
ワークメモリ部８０は、制御部１０の作業領域として一時的にデータを格納するＲＡＭ（Random  Access  Memory）などである。メモリ部９０は、光学的／磁気的な記録媒体であり、各種プログラムや装置の設定情報、音楽データ又は画像データなどを制御部１０からアドレス指定することで読出し／書き込み可能に記録する。
【００３２】
次に、携帯電話１００の制御部１０が行なう処理について、図３、図４を参照して説明する。図３は、携帯電話１００の制御部１０が行なう処理を示すフローチャートであり、図４は、スピーカからの出力に切換えるまでの時間を予め設定する画面を例示する図である。
【００３３】
本処理は制御部１０による音楽再生中から開始され、制御部１０は、音楽再生終了判断部５０で音楽再生が終了したと判断されるまで待機し（ステップＳ１１）、音楽再生が終了したと判定した後に出力先制御部７０でイヤホンジャック７０４にイヤホン７が接続されていると判断されているか、つまり、イヤホン７がイヤホンジャック７０４に接続されて音声出力がそのイヤホン７に行なわれているか否かを判定する（ステップＳ１２）。
【００３４】
イヤホン７がイヤホンジャック７０４に接続されておらず、音声出力がスピーカ７０３から行なわれている場合（ステップＳ１２：ＮＯ）は、音声出力がスピーカ７０３から行なわれるように出力先がそのまま維持され（ステップＳ１７）、音楽を再生出力する場合はスピーカ７０３から出力される（ステップＳ１８）。
【００３５】
イヤホン７がイヤホンジャック７０４に接続されている場合は（ステップＳ１２：ＹＥＳ）、音楽再生終了時間記憶部６０において現在時刻、つまり、音楽再生が終了した時刻が記憶され（ステップＳ１３）、アンテナ４０１、通信部４０に通話やメールによる通信要求が検出（着信検出）されることにより（ステップＳ１４）、その音楽再生終了時間記憶部６０に記録された音楽再生が終了した時刻より着信時刻がメモリ部９０に予め設定された時間以上経過しているか否か、例えば３０分以上経過しているか否かが判定される（ステップＳ１５）。なお、ステップＳ１４においては、通話やメールの着信以外に前述した目覚まし時計としての機能に基づく報知などを検出する構成であってよく、要は再生出力するタイミングを検出する構成であれば良い。
【００３６】
ステップＳ１５において音楽再生が終了してからの時間が予め設定された時間より経過していると判定された場合は（ステップＳ１５：ＹＥＳ）、音楽の再生出力がスピーカ７０３から行なわれるように切換えられ（ステップＳ１７）、スピーカ７０３からステップＳ１４に基づく音楽が再生出力されて（ステップＳ１８）、終了する。
また、ステップＳ１５において経過していないと判定された場合は（ステップＳ１５：ＮＯ）、そのままイヤホン７から音楽が再生出力されて（ステップＳ１６）、終了する。
【００３７】
なお、ステップＳ１５における判定の基準となる予め設定された時間は、図４に示すように、表示部３０に表示した設定画面（画面Ｇ１１、Ｇ１２）を参照しながらキー操作部２０１から入力される指示に基づいて変更する構成であって良い。この場合は、利用者が所望する時間が経過した場合にスピーカから報知するように設定することが可能であり、より利用者の利用形態に即した報知を行なうことができる。
【００３８】
以上のように、携帯電話１００は、音楽再生終了判断部５０により音楽再生の終了が判定された時にイヤホン７が接続されている場合はその終了時刻を音楽再生終了時間記憶部６０に記憶し、その終了時刻から音楽を再生出力するタイミングの時刻が予め定められた時間経過した場合にはスピーカ７０３から再生出力するように出力先制御部７０で切換える。なお、上述した実施の形態では、「音楽再生」について述べているが、特に限定するものではなく、テレビやラジオの受信に基づく「音声再生」などであってよい。
【００３９】
このため、携帯電話１００は、利用者が音楽を聞き終わってイヤホンを付けたまま装置を放置した場合においても、スピーカ７０３から再生出力させることで確実に聴くことができる。
【００４０】
［第２の実施の形態］
次に、第２の実施の形態として、環境光の強度を検出可能な折り畳み式携帯電話である携帯電話２００の構成と、その携帯電話２００における処理について、図１、図５、図６を参照して説明する。なお、簡略化のため、携帯電話１００と同様の構成については、同一の符号を付して説明を省略する。
【００４１】
図５（ａ）は、閉じた状態における携帯電話２００を上蓋２側から俯瞰した外観図であり、図５（ｂ）は、携帯電話２００の機能的構成を模式的に示した図であり、図６は、携帯電話２００の制御部１０が行なう処理を示すフローチャートである。
【００４２】
図１、図５（ａ）に示すように、携帯電話２００は、閉じた場合における上蓋２の外側部分に光センサー５０１を備え、当該装置の周囲における光強度（環境光の光量）を検出可能な構成である。
【００４３】
携帯電話２００は、図５（ｂ）に示すように、内部構成においては前述の携帯電話１００の音楽再生終了判断部５０、音楽再生終了時間記憶部６０に代えて光センサー５０１と暗所検知時間記憶部６０１を備える構成である。暗所検知時間記憶部６０１は、前述の音楽再生終了時間記憶部６０と同様に計時回路とメモリにより構成され、光センサー５０１での検出結果に応じて暗所であると判定されたタイミングの現在時刻を記憶する。
【００４４】
図６に示すように、携帯電話２００における制御部１０は、出力先制御部７０でイヤホンジャック７０４にイヤホン７が接続されていると判断されているか、つまり、音声を出力する場合にイヤホン７に対して行なうか否かを判定し（ステップＳ２１）、音声出力をスピーカ７０３から行なう場合（ステップＳ２１：ＮＯ）は前述と同様にスピーカ７０３から再生出力するように処理（ステップＳ１７、Ｓ１８）して終了する。
【００４５】
ステップＳ２１においてイヤホン７がイヤホンジャック７０４に接続されている場合は（ステップＳ２１：ＹＥＳ）、光センサー５０１で検出された光強度から予め設定された閾値（例えば５ルクス）と比較して暗所であるか否かが判定され（ステップＳ２２）、暗所であると判定された場合（ステップＳ２２：ＹＥＳ）は暗所検知時間記憶部６０１に現在時刻、つまり、携帯電話２００が暗所へ置かれた時刻が記憶される（ステップＳ２３）。
【００４６】
次いで、光センサー５０１から検出された光強度と閾値とに基づいて明所であるか否かが判定、つまり、携帯電話２００が明所へ置かれたか否かが判定され（ステップＳ２４）、明所であると判定された場合は（ステップＳ２４：ＹＥＳ）暗所検知時間記憶部６０１に記憶された時刻がリセットされる（ステップＳ２５）。なお、明所でない（暗所である）と判定された場合（ステップＳ２４：ＮＯ）はそのまま暗所検知時間記憶部６０１に記憶された時刻が保持される。
【００４７】
次いで、通話やメールの着信が検出されたことにより、暗所検知時間記憶部６０１に記憶された時刻に基づいて前述したステップＳ１４〜Ｓ１８と同様の処理、つまり、再生出力するタイミングで暗所検知時間記憶部６０１に記憶された時刻から予め定められた時間が経過している場合はスピーカ７０３、経過していない場合は接続されているイヤホン７から再生出力され、キー操作部２０１から電源ＯＦＦの操作が検出されるまでステップＳ２１からステップＳ２６の処理が実行される。
【００４８】
以上のように、携帯電話２００は、イヤホン７が接続されており、光センサー５０１で検出される環境光の強度が予め設定された光の強度より低い場合の時刻を暗所検知時間記憶部６０１に記憶し、その時刻から再生出力するタイミングの時刻が予め定められた時間経過した場合にはスピーカ７０３から再生出力するように出力先制御部７０で切換える。
【００４９】
このため、携帯電話２００は、利用者がイヤホンを付けた状態で、例えばカバンの中などの暗い所に放置した場合においても、スピーカ７０３から再生出力させることで確実に聴くことができる。
【００５０】
［第３の実施の形態］
次に、第３の実施の形態として、クレードルなどに設置して電源端子から外部電源の供給が可能な折り畳み式携帯電話である携帯電話３００の構成と、その携帯電話３００における処理について、図１、図７〜図９を参照して説明する。なお、簡略化のため、携帯電話１００と同様の構成については、同一の符号を付して説明を省略する。
【００５１】
図７（ａ）は、閉じた状態における携帯電話３００の右側面の外観を示した図であり、図７（ｂ）は、クレードル５により設置される携帯電話３００の概略を示した図であり、図８は、携帯電話３００の機能的構成を模式的に示した図であり、図９は、携帯電話３００の制御部１０が行なう処理を示すフローチャートである。
【００５２】
携帯電話３００は、図７（ａ）に示すように、下蓋３の左側面に外部電源と接続する電源用端子５０３を備える。電源用端子５０３は、ＵＳＢ（Universal Serial Bus）などで良く、携帯電話３００への電源供給以外に外部とのデータ通信を行なう端子であって良い。
【００５３】
クレードル５は、図７（ｂ）に示すように、台座５１０と、その上部に囲い形状で形成された保持部５１１とが樹脂などにより一体成型され、閉じた状態における携帯電話３００の左側面を保持部５１１の中へ介挿して保持する構成である。台座５１０は、携帯電話３００を保持した位置で電源用端子５０３と接触する接続端子５１２と、商用電源への接続及びその電源電圧を所定の電圧へ変換して接続端子５１２への出力する電源変換部（特に図示しない）とを備える。
【００５４】
携帯電話３００は、図８に示すように、内部構成においては前述の携帯電話１００の音楽再生終了判断部５０、音楽再生終了時間記憶部６０に代えて電源部５０２と電源検知時間記憶部６０２を備える構成である。電源部５０２は、電源用端子５０３と特に図示しない電池とを備え、当該電池又は電源用端子５０３から供給される電源を各部に駆動電源として分配する回路である。また、電源部５０２は、電源用端子５０３からの外部電源の供給を検出した場合、検出信号を制御部１０に送信するとともに、前述の電池が二次電池の時は満充電状態まで充電を行なう。電源検知時間記憶部６０２は、前述の音楽再生終了時間記憶部６０と同様に計時回路とメモリとにより構成され、電源部５０２での検出結果に応じて外部電源の供給が開始されたタイミングの現在時刻を記憶する。
【００５５】
図９に示すように、携帯電話３００における制御部１０は、出力先制御部７０でイヤホンジャック７０４にイヤホン７が接続されていると判断されているか、つまり、音声を出力する場合にイヤホン７に対して行なうか否かを判定し（ステップＳ３１）、音声をスピーカ７０３から行なう場合（ステップＳ３１）は前述と同様にスピーカ７０３から再生出力するように処理（ステップＳ１７、Ｓ１８）して終了する。
【００５６】
ステップＳ３１においてイヤホン７がイヤホンジャック７０４に接続されている場合は（ステップＳ３１：ＹＥＳ）、電源部５０２からの検出信号に基づいて外部電力であるか否かが判断され（ステップＳ３２）、外部電力であると判定された場合（ステップＳ３２：ＹＥＳ）は電源検知時間記憶部６０２に現在時刻、つまり、携帯電話３００がクレードル５へ置かれて外部からの電源供給が開始された時刻が記憶される（ステップＳ３３）。
【００５７】
次いで、電源部５０２からの検出信号により内部電源への変更の有無が判断、つまり、携帯電話３００がクレードル５から外されたか否かが判定され（ステップＳ３４）、内部電源へ変更された場合は（ステップＳ３４：ＹＥＳ）電源検知時間記憶部６０２に記憶された時刻がリセットされる（ステップＳ３５）。なお、携帯電話３００がクレードル５へ置かれた状態であり、外部電源から電力の供給がある場合（ステップＳ３４：ＮＯ）はそのまま電源検知時間記憶部６０２に記憶された時刻が保持される。
【００５８】
次いで、通話やメールの着信が検出されたことにより、電源検知時間記憶部６０２に記憶された時刻に基づいて前述したステップＳ１４〜Ｓ１８と同様の処理、つまり、再生出力するタイミングで電源検知時間記憶部６０２に記憶された時刻から予め定められた時間が経過している場合はスピーカ７０３、経過していない場合は接続されているイヤホン７から再生出力され、キー操作部２０１から電源ＯＦＦの操作が検出されるまでステップＳ３１からステップＳ３６の処理が実行される。
【００５９】
以上のように、携帯電話３００は、イヤホン７が接続されており、電源部５０２の検出に基づく外部からの電源供給が開始された時刻を電源検知時間記憶部６０２に記憶し、その時刻から再生出力するタイミングの時刻が予め定められた時間経過した場合にはスピーカ７０３から再生出力するように出力先制御部７０で切換える。
【００６０】
このため、携帯電話３００は、利用者がイヤホンを付けた状態で、例えば充電などのため、電源供給を行なうクレードル５などに放置した場合においても、スピーカ７０３から再生出力することで確実に聴くことができる。
【００６１】
なお、本発明の実施の形態における記述は、本発明の一例を示すものであり、これに限定しない。本実施の形態における携帯電話１００，２００，３００の細部構成及び動作に関しては、本発明の趣旨を逸脱しない範囲で適宜変更が可能である。
【００６２】
例えば、折り畳み式携帯電話に限らず、テレビ、ラジオ、音楽再生機器などであってよい。本発明は、スピーカ又はイヤホンから音声出力が可能であり、着信以外にも警報音や時計機能を利用して所定の時間に報知音を出力する装置の何れに適用しても良い。
【００６３】
また、本実施の形態においては、イヤホンジャック７０４にイヤホン７が物理的に接続された場合について述べているが、これに限らず、Ｂｌｕｅｔｏｏｔｈ等の近接無線通信により外部のヘッドセットに音声を出力している場合についても適用されることは言うまでもないことである。
【図面の簡単な説明】
【００６４】
【図１】（ａ）は、本発明を適用した携帯電話１００，２００，３００の開いた状態における正面外観を示す図であり、（ｂ）は、携帯電話１００，２００，３００の開いた状態における右側面の外観を示す図である。
【図２】携帯電話１００の機能的構成を模式的に示した図である。
【図３】携帯電話１００の制御部１０が行なう処理を示すフローチャートである。
【図４】スピーカからの出力に切換えるまでの時間を予め設定する表示部３０に表示される画面を例示する図である。
【図５】（ａ）は、閉じた状態における携帯電話２００を上蓋２側から俯瞰した外観図であり、（ｂ）は、携帯電話２００の機能的構成を模式的に示した図である。
【図６】携帯電話２００の制御部１０が行なう処理を示すフローチャートである。
【図７】（ａ）は、閉じた状態における携帯電話３００の右側面の外観を示した図であり、（ｂ）は、クレードル５により設置される携帯電話３００の概略を示した図である。
【図８】携帯電話３００の機能的構成を模式的に示した図である。
【図９】携帯電話３００の制御部１０が行なう処理を示すフローチャートである。
【符号の説明】
【００６５】
１００，２００，３００  携帯電話（音声出力装置）
２  上蓋
３  下蓋
４  ヒンジ部
５  クレードル
５１０  台座
５１１  保持部
５１２  接続端子
７  イヤホン（第２の拡声手段）
１０  制御部（音声再生手段、通信要求検出手段）
２０  入力部
２０１  キー操作部
２０２  マイク
３０  表示部
４０  通信部（無線通信手段）
４０１  アンテナ
５０  音楽再生終了判断部（終了検知手段）
５０１  光センサー（光強度測定手段）
５０２  電源部（電源検出手段）
５０３  電源用端子
６０  音楽再生終了時間記憶部
６０１  暗所検知時間記憶部
６０２  電源検知時間記憶部
７０  出力先制御部（切換手段）
７０１，７０２  アンプ
７０３  スピーカ（第１の拡声手段）
７０４  イヤホンジャック（外部接続手段）
８０  ワークメモリ部
９０  メモリ部
Ｇ１１，Ｇ１２  画面
【図１】
2006339953.tif 000003
【図２】
2006339953.tif 000004
【図３】
2006339953.tif 000005
【図４】
2006339953.tif 000006
【図５】
2006339953.tif 000007
【図６】
2006339953.tif 000008
【図７】
2006339953.tif 000009
【図８】
2006339953.tif 000010
【図９】
2006339953.tif 000011